(57)【要約】  セルを識別する識別情報の制御を行う情報処理装置にかかる負荷を削減する方法が提供される。例示的な実施形態は、第一のセルのカバレッジ範囲と第二のセルのカバレッジ範囲の少なくとも一部が重複しているか否かを判定する判定部と、第一のセルを識別するための第一のセル識別情報と、第二のセルを識別するため予め割り当てられた第二のセル識別情報とが同一か否かを、判定部の判定結果に基づき判断する判断部と、を有する。
2015151446.tif 000002
【特許請求の範囲】
【請求項１】
第一のセルのカバレッジ範囲と第二のセルのカバレッジ範囲の少なくとも一部が重複しているか否かを判定する判定部と、
前記第一のセルを識別するための第一のセル識別情報と、前記第二のセルを識別するため予め割り当てられた第二のセル識別情報とが同一か否かを、前記判定部の判定結果に基づき判断する判断部と、
を有する、
情報処理装置。
【請求項２】
前記判断部の判断結果に基づき、前記第一のセルを識別するための識別情報の候補を抽出する抽出部を有する、
請求項１に記載の情報処理装置。
【請求項３】
前記判断部の判断結果が第一の条件を示す場合、前記抽出部は前記抽出を行わない、
請求項２に記載の情報処理装置。
【請求項４】
前記判断結果が第一の条件を示す場合とは、
前記第一のセル識別情報と前記第二のセル識別情報とが異なる場合である、
請求項３に記載の情報処理装置。
【請求項５】
前記第一のセル識別情報および前記第二のセル識別情報とは、
周波数情報と、ＰＣＩ情報の、少なくともいずれか１つを含み、
前記周波数情報とは、周波数に関する情報を示し、
前記ＰＣＩ情報とは、セルに割り当てられるＰＣＩに関する情報を示す、
請求項３または４の何れか１項に記載の情報処理装置。
【請求項６】
前記判定部の判定結果が第二の条件を示す場合、前記判断部は前記判断を行わない、
請求項５に記載の情報処理装置。
【請求項７】
前記判定結果が第二の条件を示す場合とは、
前記第一のセルのカバレッジ範囲と前記第二のセルのカバレッジ範囲の少なくとも一部が重複していない場合である、
請求項６に記載の情報処理装置。
【請求項８】
管理装置と、前記管理装置と接続する基地局とを有する通信システムにおいて、
前記管理装置は、
第一のセルのカバレッジ範囲と第二のセルのカバレッジ範囲の少なくとも一部が重複しているか否かを判定する判定部と、
前記第一のセルを識別するための第一のセル識別情報と、前記第二のセルを識別するため予め割り当てられた第二のセル識別情報とが同一か否かを、前記判定部の判定結果に基づき判断する判断部と、を有し、
前記基地局は、
前記判断部の判断の結果に基づき得られた情報を受信する、
通信システム。
【請求項９】
第一のセルのカバレッジ範囲と第二のセルのカバレッジ範囲の少なくとも一部が重複しているか否かを判定する工程と、
前記第一のセルを識別するための第一のセル識別情報と、前記第二のセルを識別するため予め割り当てられた第二のセル識別情報とが同一か否かを、前記判定部の判定結果に基づき判断する工程と、
を有する、
情報処理装置のための方法。
【請求項１０】
第一のセルのカバレッジ範囲と第二のセルのカバレッジ範囲の少なくとも一部が重複しているか否かを判定する工程と、
前記第一のセルを識別するための第一のセル識別情報と、前記第二のセルを識別するため予め割り当てられた第二のセル識別情報とが同一か否かを、前記判定部の判定結果に基づき判断する工程と、
を実行させるためのプログラムが記憶された記憶媒体。
【発明の詳細な説明】
【技術分野】
【０００１】
本開示は、無線通信ネットワークの制御に関し、セルラ通信システムにおけるセルを識別する識別情報の制御に関する。
【背景技術】
【０００２】
セルラ通信システムの一例として、長期的進化ＬＴＥ（Ｌｏｎｇ  Ｔｅｒｍ  Ｅｖｏｌｕｔｉｏｎ）システムがある。ＬＴＥシステムにおいて、セルを識別するための情報として、物理層セル標識ＰＣＩ（Ｐｙｓｉｃａｌ  Ｃｅｌｌ  Ｉｄｅｎｔｉｆｉｅｒ）が用いられる。【０００３】
特許文献１では、ＳＯＮ（Ｓｅｌｆ−Ｏｒｇａｎｉｚｅｄ  Ｎｅｔｗｏｒｋ）機能ノードが、隣接セルの情報に基づいて、セルに対してＰＣＩを割当てる。具体的には、基地局から報告された隣接セルの情報に基づいて、ＳＯＮ機能ノードは、互いに隣接する２つのセルに対してそれぞれ異なるＰＣＩを割り当てる。
なお、特許文献２では、ＳＯＮサーバが、既存のＨｅＮＢのセル（フェムトセル）への干渉（セル間干渉）が問題となるかチェックし、干渉が問題となる場合、設置するｅＮＢの送信電力、アンテナチルト角等の無線パラメータの設定を補正する。ただし、ＰＣＩのようなセル識別情報の割当を制御することに関する開示は、ない。
【先行技術文献】
【特許文献】
【０００４】
【特許文献１】特開２０１０−２６８４６３
【特許文献２】特開２０１２−０８５２０１
【発明の概要】
【発明が解決しようとする課題】
【０００５】
しかしながら、特許文献１において、ＳＯＮ機能ノードは、隣接セルの情報に含まれる全てのセルに対してＰＣＩを割り当てる。このため、ＰＣＩの割り当てにより、隣接関係にある全てのセルのＰＣＩが変更されてしまう。よって、例えば隣接するセル数が多い場合、隣接関係が複雑になるため、ＰＣＩ割り当てに要する処理が複雑となる。そのため、当該処理に係るＳＯＮ機能ノードに多大な負荷がかかる。【０００６】
これらの問題の原因の一つは、先行技術において、そもそもセルにＰＣＩを割り当てるべきであるか否かの判断を全く行っていなかったことである。【０００７】
そこで本明細書で開示する一実施形態の目的は、上記課題を解決した情報処理装置を提供することである。なお、この目的は、本明細書に開示される例示的な実施形態が達成しようとする複数の目的の１つに過ぎないことに留意されるべきである。その他の目的又は課題と新規な特徴は、本明細書の記述又は添付図面から明らかにされる。
【課題を解決するための手段】
【０００８】
本実施形態の情報処理装置は、
第一のセルのカバレッジ範囲と第二のセルのカバレッジ範囲の少なくとも一部が重複しているか否かを判定する判定部と、
前記第一のセルを識別するための第一のセル識別情報と、前記第二のセルを識別するため予め割り当てられた第二のセル識別情報とが同一か否かを、前記判定部の判定結果に基づき判断する判断部と、
を有する。【０００９】
本実施形態の通信システムは、
管理装置と、前記管理装置と接続する基地局とを有する通信システムにおいて、
前記管理装置は、
第一のセルのカバレッジ範囲と第二のセルのカバレッジ範囲の少なくとも一部が重複しているか否かを判定する判定部と、
前記第一のセルを識別するための第一のセル識別情報と、前記第二のセルを識別するため予め割り当てられた第二のセル識別情報とが同一か否かを、前記判定部の判定結果に基づき判断する判断部と、を有し、
前記基地局は、
前記判断部の判断の結果に基づき得られた情報を受信する。【００１０】
本実施形態の情報処理装置のための方法は、
第一のセルのカバレッジ範囲と第二のセルのカバレッジ範囲の少なくとも一部が重複しているか否かを判定する工程と、
前記第一のセルを識別するための第一のセル識別情報と、前記第二のセルを識別するため予め割り当てられた第二のセル識別情報とが同一か否かを、前記判定部の判定結果に基づき判断する工程と、
を有する。【００１１】
本実施形態の記憶媒体は、
第一のセルのカバレッジ範囲と第二のセルのカバレッジ範囲の少なくとも一部が重複しているか否かを判定する工程と、
前記第一のセルを識別するための第一のセル識別情報と、前記第二のセルを識別するため予め割り当てられた第二のセル識別情報とが同一か否かを、前記判定部の判定結果に基づき判断する工程と、
をコンピュータに実行させるためのプログラムが記憶された記憶媒体。
【発明の効果】
【００１２】
上述の例示的な実施形態によれば、情報処理装置にかかる負荷を低減できる。
【図面の簡単な説明】
【００１３】
【図１】第１の例示的な実施形態に係る情報処理装置のブロック図である。
【図２Ａ】第一のセルのカバレッジ範囲と第二のセルのカバレッジ範囲の重複関係の一例である。
【図２Ｂ】第一のセルのカバレッジ範囲と第二のセルのカバレッジ範囲の重複関係の一例である。
【図３】第１の例示的な実施形態に係る情報処理装置の動作のフローチャートである。
【図４】第２の例示的な実施形態に係る情報処理装置のブロック図である。
【図５】第２の例示的な実施形態に係る情報処理装置の動作のフローチャートである。
【図６】第一のセルを識別するための識別情報の候補の抽出結果の一例である。
【図７】第３の例示的な実施形態に係る情報処理装置のブロック図である。
【図８】判定部における判定方法の具体例を示すフローチャートである。
【図９】判断部における判断方法の具体例を示すフローチャートの１つである。
【図１０】判断部における判断方法の具体例を示すフローチャートの１つである。
【図１１】第３の例示的な実施形態に係る情報処理装置の動作のフローチャートである。
【図１２】第１乃至第３の例示的な実施形態の通信システムの一構成例を示すブロック図である。
【図１３】第４の例示的な実施形態に係る情報処理装置のブロック図である。
【図１４】第４の例示的な実施形態に係る情報処理装置の動作のフローチャートである。
【図１５】カバレッジ範囲の計算方法の一例を示す図である。
【図１６】隣接セルの設定方法の一例を示すフローチャートである。
【発明を実施するための形態】
【００１４】
以下では、例示的な実施形態について、図面を参照しながら詳細に説明する。各図面において、同一又は対応する要素には同一の符号が付されており、説明の明確化のため、必要に応じて重複説明は省略される。
【００１５】
以下に説明される複数の例示的な実施形態は、独立に実施されることもできるし、適宜組み合わせて実施されることもできる。これら複数の実施形態は、互いに異なる新規な特徴を有している。したがって、これら複数の実施形態は、互いに異なる目的又は課題を解決することに寄与し、互いに異なる効果を奏することに寄与する。
【００１６】
＜第１の例示的な実施形態＞
図１は、第１の例示的な実施形態における情報処理装置の構成の一例を示す。
【００１７】
情報処理装置１００は、判定部１０および判断部２０を少なくとも有する。
【００１８】
判定部１０は、第一のセルのカバレッジ範囲と第二のセルのカバレッジ範囲の少なくとも一部が重複しているか否かを判定する。
【００１９】
判断部２０は、第一のセルを識別するための第一のセル識別情報と、第二のセルを識別するため予め割り当てられた第二のセル識別情報とが同一か否かを、判定部の判定結果に基づき判断する。
【００２０】
図２Ａ及び図２Ｂは、第一のセルのカバレッジ範囲と第二のセルのカバレッジ範囲の重複関係の一例を示している。第一のセルには、第一のセル識別情報として１００が設定されている。また、第二のセルには、第二のセル識別情報として２００が設定されている。第一のセル識別情報及び第二セルの識別情報とは、それぞれ、第一のセルを識別するための情報、第二のセルを識別するための情報である。図２Ａ及び図２Ｂでは、第一のセル識別情報及び第二セルの識別情報が既に設定されているが、どちらか一方のセル又は両方のセルに、セルを識別するための情報が設定されていなくても良い。
【００２１】
次に、本実施形態の情報処理装置１００の動作について、図３を用いて説明する。
【００２２】
ステップＳ１では、判定部１０は、第一のセルのカバレッジ範囲と第二のセルのカバレッジ範囲の少なくとも一部が重複しているか否かを判定する。例えば、図２Ａの場合、判定部１０は、第一のセルのカバレッジ範囲と第二のセルのカバレッジ範囲の少なくとも一部が重複していると判定する。また、図２Ｂの場合、判定部１０は、第一のセルのカバレッジ範囲と第二のセルのカバレッジ範囲の少なくとも一部が重複していないと判定する。なお、判定結果は、判定した結果を表すものならば、内容の詳細は問わない。
【００２３】
ステップＳ２では、判断部２０は、第一のセルを識別するための第一のセル識別情報と、第二のセルを識別するため予め割り当てられた第二のセル識別情報とが同一か否かを、判定部の判定結果に基づき判断する。例えば、図２Ａまたは図２Ｂの場合、第一のセル識別情報と第二のセル識別情報とが異なるため、判断部２０は、第一のセル識別情報と第二のセル識別情報とが同一でないと判断する。また、仮に、第一のセル識別情報が設定されておらず、第二のセル識別情報が予め割り当てられている場合、第一のセル識別情報が存在しないため、判断部２０は、第一のセル識別情報と第二のセル識別情報とが少なくとも同一でないと判断する。また、仮に、第一のセル識別情報として１００が設定され、第二のセル識別情報として１００が予め割り当てられている場合、第一のセル識別情報と第二のセル識別情報とが同じため、判断部２０は、第一のセル識別情報と第二のセル識別情報とが同一であると判断する。
【００２４】
以上のようにして、本実施形態における情報処理装置１００は、第一のセルのカバレッジ範囲と第二のセルのカバレッジ範囲の少なくとも一部が重複しているか否かを判定し、第一のセルを識別するための第一のセル識別情報と、第二のセルを識別するため予め割り当てられた第二のセル識別情報とが同一か否かを、前記判定部の判定結果に基づき判断する。そのため、本実施形態における情報処理装置１００によれば、情報処理装置１００のかかる負荷を低減できる、という効果がある。
【００２５】
＜第２の例示的な実施形態＞
本実施形態では、上述した第１の実施形態の変形例について説明する。
【００２６】
図４は、第２の実施形態における情報処理装置の構成の一例を示す。
【００２７】
情報処理装置２００は、判定部１０、判断部２０および抽出部３０を少なくとも有する。判定部１０と判断部２０は、第１の実施形態と同様である。抽出部３０は、判断部の判断結果に基づき、第一のセルを識別するための識別情報の候補を抽出する。
【００２８】
次に、本実施形態の情報処理装置２００の動作について、図５を用いて説明する。
【００２９】
ステップＳ１とステップＳ２は、第１の実施形態と同様である。ステップＳ３において、抽出部３０は、判断部の判断結果に基づき、第一のセルを識別するための識別情報の候補を抽出する。図６は、抽出部３０による抽出結果の一例を示す。
【００３０】
以上のようにして、本実施形態における情報処理装置２００は、判断部の判断結果に基づき、第一のセルを識別するための識別情報の候補を抽出する。そのため、本実施形態における情報処理装置２００によれば、候補を抽出することができる。
【００３１】
＜第３の実施形態＞
本実施形態では、上述した第１又は第２の実施形態の変形例について説明する。
【００３２】
図７は、第３の実施形態における情報処理装置の構成の一例を示す。
【００３３】
情報処理装置３００は、判定部１０、判断部２０、抽出部３０、送受信部４０、計算部５０、情報取得部６０、記憶部７０、入力部８０、ＰＣＩ設定部９０、制御部１１０および表示部１２０を少なくとも有する。なお、判定部１０、判断部２０および抽出部３０は、第２の実施形態と同様である。
【００３４】
送受信部４０は、外部装置と有線または無線で接続し、外部装置との間で、種々の情報を送信又は受信する。
【００３５】
計算部５０は、第一のセルのカバレッジ範囲および第二のセルのカバレッジ範囲を計算する。計算部５０は、第一のセルのカバレッジ範囲および第二のセルのカバレッジ範囲のどちらか一方を計算しても良いし、両方とも計算しても良い。また、第一のセルのカバレッジ範囲または第二のセルのカバレッジ範囲に関する情報が、記憶部７０に格納されている場合、格納されている当該情報を用いても良い。さらに、当該情報が記憶部７０に格納されていない場合、当該情報を他の装置から取得しても良い。
【００３６】
また、計算結果としてカバレッジ範囲が、例えば２次元平面上にマップされても良い。マップは、２次元平面上に限らず、１次元軸上、３次元空間上でも良い。
【００３７】
ここで、計算部５０は第一のセルのカバレッジ範囲および第二のセルのカバレッジ範囲を、２つの軸を用いてカバレッジ範囲を２次元平面として捉えて計算しても良い。具体的には、例えば、緯度と経度の２つのパラメータを軸とし、第一のセルのカバレッジ範囲を計算しても良い。
【００３８】
情報取得部６０は、第二のセルの第二のセル識別情報を取得する。例えば、第二のセルの第二のセル識別情報が記憶部７０に格納されている場合、情報取得部６０は、記憶部７０から当該情報を取得しても良い。また、当該情報が記憶部７０に格納されていない場合、当該情報を他の装置から取得しても良い。なお、情報取得部６０は、入力部８０に入力された情報に基づいて、第二のセルの第二のセル識別情報を取得しても良い。
【００３９】
記憶部７０は、種々の情報を格納する。例えば、第一のセルのカバレッジ範囲に関する情報、第二のセルのカバレッジ範囲に関する情報、第二のセルの第二のセル識別情報などを格納する。
【００４０】
入力部８０は、種々の情報を入力する。例えば、第一のセルのカバレッジ範囲に関する情報、第二のセルのカバレッジ範囲に関する情報、第一のセルの第一のセル識別情報、第二のセルの第二のセル識別情報などを入力する。
【００４１】
ＰＣＩ設定部９０は、第一のセルを識別するための識別情報を、第一のセルに設定する。
【００４２】
制御部１１０は、情報処理装置３００に含まれる構成部それぞれを制御する。
【００４３】
表示部１２０は、抽出部３０が抽出した抽出結果である、第一のセルを識別するための識別情報の候補を表示する。
【００４４】
ここで、第一のセルのカバレッジ範囲に関する情報とは、例えば、第一のセルのカバレッジ範囲を示す緯度情報や経度情報、第一のセルを配下にもつ基地局のアンテナチルト角、当該基地局の送信電力、当該基地局の種別（例えばマクロセル基地局であるのか、マイクロセル基地局であるのかといった情報）、第一のセルに設定されたＰＣＩ、ＥＣＧＩ（Ｅ−ＵＴＲＡＮ  Ｃｅｌｌ  Ｇｌｏｂａｌ  Ｉｄｅｎｔｉｆｉｅｒ）、ＰＬＭＮ  ＩＤ（Ｐｕｂｌｉｃ  Ｌａｎｄ  Ｍｏｂｉｌｅ  Ｎｅｔｗｏｒｋ  Ｉｄｅｎｔｉｔｙ）、ＥＣＩ（Ｅ−ＵＴＲＡＮ  Ｃｅｌｌ  Ｉｄｅｎｔｉｆｉｅｒ）、ＰＳＣ（Ｐｒｉｍａｒｙ  Ｓｃｒａｍｂｌｉｎｇ  Ｃｏｄｅ）または当該基地局の高度情報などである。
【００４５】
また、第一のセルの第一のセル識別情報とは、例えば、第一のセルのカバレッジ範囲を示す緯度情報や経度情報、第一のセルにて使用される周波数に関する周波数情報、第一のセルに設定されたＰＣＩ、ＥＣＧＩ、ＰＬＭＮ  ＩＤ、ＥＣＩ、ＰＳＣなど、セルを特定するための情報である。
【００４６】
次に、本実施形態の情報処理装置３００の動作について説明する。ここでは、主に前述の実施形態との差異を中心に説明する。
【００４７】
まず、図５に記載のステップＳ１の詳細を、図８を用いて説明する。
【００４８】
ステップＳ４では、判定部１０は、第一のセルのカバレッジ範囲と第二のセルのカバレッジ範囲の少なくとも一部が重複しているか否かを判定する。ステップＳ４の判定結果が、「第一のセルのカバレッジ範囲と第二のセルのカバレッジ範囲の少なくとも一部が重複していない」ことを示す場合（ステップＳ４：ＮＯ）、判断部２０は第一のセルを識別するための第一のセル識別情報と、第二のセルを識別するため予め割り当てられた第二のセル識別情報とが同一か否かの判断を行わない。このように、判定結果に基づいて判断部２０が動作するため、判断部２０は判断が必要なときだけ動作することになる。これにより、情報処理装置３００の節電や負荷低減が可能となる。
【００４９】
次に、ステップＳ４の判定結果が「第一のセルのカバレッジ範囲と第二のセルのカバレッジ範囲の少なくとも一部が重複している」ことを示す場合（ステップＳ４：ＹＥＳ）、判断部２０は第一のセルを識別するための第一のセル識別情報と、第二のセルを識別するため予め割り当てられた第二のセル識別情報とが同一か否かを判断するか否かを判定する。例えば、第一のセル識別情報としての第一の周波数情報と、第二のセル識別情報としての第二の周波数情報とが同一か否かの判断を行うか否かを選択する（ステップＳ５）。
【００５０】
ステップＳ５の判定結果が「第一のセル識別情報としての第一の周波数情報と、第二のセル識別情報としての第二の周波数情報とが同一か否かの判断を行わない」ことを示す場合（ステップＳ５：ＮＯ）、判断部２０は、第一のセルの第一のＰＣＩ情報と第二のセルの第二のＰＣＩ情報とを比較する。この比較の処理に関する詳細は、図１０のステップＳ１０以降の説明に示される。
【００５１】
一方、ステップＳ５の判定結果が「第一のセル識別情報としての第一の周波数情報と、第二のセル識別情報としての第二の周波数情報とが同一か否かの判断を行う」ことを示す場合（ステップＳ５：ＹＥＳ）、判断部２０は、第一のセルの第一の周波数情報と第二のセルの第二の周波数情報とを比較する。
【００５２】
次に、図９を用いて、図８のステップＳ５の判定結果がＹＥＳの場合の以降の処理について示す。
【００５３】
図８のステップＳ５の判定結果がＹＥＳである場合、図９のステップＳ６の処理を行う。
【００５４】
ステップＳ６では、判断部２０は、第一のセルの第一の周波数情報と、第二のセルの第二の周波数情報とが同一か否かを判断する。
【００５５】
＜第一の周波数情報と第二の周波数情報とが異なる場合＞
ステップＳ６の判断結果が「第一のセルの第一の周波数情報と第二のセルの第二の周波数情報とが異なる」ことを示す場合（ステップＳ６：異なる）、ステップＳ７の処理を行う。ステップＳ７では、判断部２０が、第一のセルの第一のＰＣＩ情報と、第二のセルの第二のＰＣＩ情報とが同一か否かを判断するＰＣＩ情報の判断処理を実施するか否かを選択する。
【００５６】
ステップＳ７にて、判断部２０がＰＣＩ情報の判断処理を実施しないこと（ステップＳ７：ＮＯ）を選択した場合、抽出部３０は第一のセルを識別するための識別情報の候補の抽出を行わない。このように、判断部２０の判断結果に基づいて抽出部３０が動作するため、抽出部３０の抽出処理が必要な場合のみ実施されるよう構成できる。すなわち、抽出部３０に関するハードウェアまたはソフトウェアの処理が所定の条件を満たす場合のみ行われるように構成されるため、この抽出部３０を含む情報処理装置３００全体の節電や負荷低減が可能となる。
【００５７】
一方、ステップＳ７にて、判断部２０がＰＣＩ情報の判断処理を実施すること（ステップＳ７：ＹＥＳ）を選択した場合、判断部２０は、第一のセルの第一のＰＣＩ情報と第二のセルの第二のＰＣＩ情報とを比較する。この比較の処理に関する詳細は、図１０のステップＳ１０以降の説明に示される。
【００５８】
＜第一の周波数情報と第二の周波数情報とが同一か否か不明の場合＞
次に、ステップＳ６の判断結果が「第一のセルの第一の周波数情報と、第二のセルの第二の周波数情報とが同一か否か不明である」ことを示す場合（ステップＳ６：不明）、ステップＳ８の処理を実施する。ステップＳ８では、判断部２０が、第一のセルの第一のＰＣＩ情報と、第二のセルの第二のＰＣＩ情報とが同一か否かを判断するか否かを選択する。
【００５９】
なお、ステップＳ６の判断結果が「第一のセルの第一の周波数情報と、第二のセルの第二の周波数情報とが同一か否か不明である」ことを示す場合とは、例えば、第一の周波数情報と第二の周波数情報の少なくとも何れか一方が設定されていなかった場合など、比較対象が欠落している場合である。
【００６０】
ステップＳ８にて、第一のＰＣＩ情報と第二のＰＣＩ情報とが同一か否かを判断しないことが選択された場合（ステップＳ８：ＮＯ）、抽出部３０は判断部２０の判断結果に基づき、第一のセルを識別するための識別情報の候補の抽出を行う。一方、ステップＳ８にて、第一のＰＣＩ情報と第二のＰＣＩ情報とが同一か否かを判断することが選択された場合（ステップＳ８：ＹＥＳ）、判断部２０は、第一のセルの第一のＰＣＩ情報と第二のセルの第二のＰＣＩ情報とを比較する。この比較の処理に関する詳細は、図１０のステップＳ１０以降の説明に示される。
【００６１】
＜第一の周波数情報と第二の周波数情報とが同一の場合＞
また、ステップＳ６の判断結果が「第一のセルの第一の周波数情報と、第二のセルの第二の周波数情報とが同一である」ことを示す場合（ステップＳ６：同一）、ステップＳ９の処理を行う。ステップＳ９では、第一のセルの第一のＰＣＩ情報と、第二のセルの第二のＰＣＩ情報とが同一か否かを判断するＰＣＩ情報の判断処理を実施するか否かを選択する。
【００６２】
ステップＳ９にて、判断部２０がＰＣＩ情報の判断処理を実施しないこと（ステップＳ９：ＮＯ）を選択した場合、抽出部３０は判断部の判断結果に基づき、第一のセルを識別するための識別情報の候補の抽出を行う。一方、ステップＳ９にて第一のＰＣＩ情報と第二のＰＣＩ情報とが同一か否かを判断することが選択された場合（ステップＳ９：ＹＥＳ）、判断部２０は、第一のセルの第一のＰＣＩ情報と第二のセルの第二のＰＣＩ情報とを比較する。この比較の処理に関する詳細は、図１０のステップＳ１０以降の説明に示される。
【００６３】
次に、図１０を用いて、第一のセルの第一のＰＣＩ情報と第二のセルの第二のＰＣＩ情報とを比較に関する処理を説明する。
【００６４】
ステップＳ１０では、判断部２０は、第一のセルの第一のＰＣＩ情報と、第二のセルの第二のＰＣＩ情報とが同一か否かを判断する。
【００６５】
＜第一のＰＣＩ情報と第二のＰＣＩ情報とが異なる場合＞
ステップＳ１０の判断結果が「第一のセルの第一のＰＣＩ情報と、第二のセルの第二のＰＣＩ情報とは異なる」ことを示す場合（ステップＳ１０：異なる）、ステップＳ１１の処理を行う。ステップＳ１１では、第一のセルの第一の周波数情報と、第二のセルの第二の周波数情報とが同一か否かを判断する周波数情報の判断処理を実施するか否かを選択する。
【００６６】
ステップＳ１１にて、判断部２０が周波数情報の判断処理を実施しないこと（ステップＳ１１：ＮＯ）を選択した場合、抽出部３０は第一のセルを識別するための識別情報の候補の抽出を行わない。このように、判断部２０の判断結果に基づいて抽出部３０が動作するため、抽出部３０の抽出処理が必要な場合のみ実施されるよう構成できる。すなわち、抽出部３０に関するハードウェアまたはソフトウェアの処理が所定の条件を満たす場合のみ行われるように構成されるため、この抽出部３０を含む情報処理装置３００全体の節電や負荷低減が可能となる。
【００６７】
一方、ステップＳ１１にて判断部２０が周波数情報の判断処理を実施すること（ステップＳ１１：ＹＥＳ）を選択した場合、判断部２０は、第一のセルの第一の周波数情報と第二のセルの第二の周波数情報とを比較する。
【００６８】
＜第一のＰＣＩ情報と第二のＰＣＩ情報とが同一か否か不明である場合＞
次に、ステップＳ１０の判断結果が「第一のセルの第一のＰＣＩ情報と、第二のセルの第二のＰＣＩ情報とが同一か否か不明である」ことを示す場合（ステップＳ１０：不明）、ステップＳ１２の処理を行う。ステップＳ１２では、第一のセルの第一の周波数情報と、第二のセルの第二の周波数情報とが同一か否かを判断する周波数情報の判断処理を実施するか否かを選択する。
【００６９】
なお、ステップＳ１０の判断結果が「第一のセルの第一のＰＣＩ情報と、第二のセルの第二のＰＣＩ情報とが同一か否か不明である」ことを示す場合とは、例えば、第一のセルの第一のＰＣＩ情報と第二のセルの第二のＰＣＩ情報の少なくとも何れか一方が設定されていなかった場合など、比較対象が欠落している場合である。
【００７０】
ステップＳ１２にて判断部２０が周波数情報の判断処理を実施しないこと（ステップＳ１２：ＮＯ）を選択した場合、抽出部３０は判断部の判断結果に基づき、第一のセルを識別するための識別情報の候補の抽出を行う。一方、ステップＳ１２にて判断部２０が周波数情報の判断処理を実施すること（ステップＳ１２：ＹＥＳ）を選択した場合、判断部２０は、第一のセルの第一の周波数情報と第二のセルの第二の周波数情報とを比較する。
【００７１】
＜第一のＰＣＩ情報と第二のＰＣＩ情報とが同一である場合＞
また、ステップＳ１０の判断結果が「第一のセルの第一のＰＣＩ情報と、第二のセルの第二のＰＣＩ情報とが同一である」ことを示す場合（ステップＳ１０：同一）、ステップＳ１３の処理を行う。ステップ１３では、第一のセルの第一の周波数情報と、第二のセルの第二の周波数情報とが同一か否かを判断する周波数情報の判断処理を実施するか否かを選択する。
【００７２】
ステップＳ１３にて、判断部２０が周波数情報の判断処理を実施しないこと（ステップＳ１３：ＮＯ）を選択した場合、抽出部３０は判断部の判断結果に基づき、第一のセルを識別するための識別情報の候補の抽出を行う。一方、ステップＳ１３にて判断部２０が周波数情報の判断処理を実施すること（ステップＳ１３：ＹＥＳ）を選択した場合、判断部２０は、第一のセルの第一の周波数情報と第二のセルの第二の周波数情報とを比較する。
【００７３】
なお、ステップＳ７、Ｓ８、Ｓ９、Ｓ１１、Ｓ１２、Ｓ１３の処理は、判断部２０で実施されるが、情報処理装置３００に限定させず、情報処理装置３００を操作するオペレータ、情報処理装置３００と有線通信又は無線通信を行う基地局、制御装置、ＥＭＳ（Ｅｌｅｍｅｎｔ  Ｍａｎａｇｅｍｅｎｔ  Ｓｙｓｔｅｍ）装置等であっても良い。
【００７４】
また、例えば、ステップＳ７にてＹＥＳを選択した場合、ステップＳ１１、Ｓ１２、Ｓ１３でＹＥＳを選択しないように設定しても良い。
【００７５】
図１１は、情報処理装置３００におけるセル識別情報の設定動作について示す。
【００７６】
ステップ１４では、入力部８０は、種々の情報を入力する。入力される情報は、情報処理装置３００内部の記憶部７０に記憶された情報であってもよい。また情報を入力する主体は、情報処理装置３００を操作するオペレータ、情報処理装置３００と有線通信又は無線通信を行う基地局、基地局を制御する制御装置（例えば、Ｍｏｂｉｌｉｔｙ  Ｍａｎａｇｅｍｅｎｔ  Ｅｎｔｉｔｙ（ＭＭＥ））、ＥＭＳ装置等であっても良い。
【００７７】
次に、ステップ１５では、計算部５０は、ステップ１４にて入力部８０に入力された情報に基づいて、第一のセルのカバレッジ範囲および第二のセルのカバレッジ範囲を計算する。
【００７８】
なお、計算部５０は、第一のセルのカバレッジ範囲および第二のセルのカバレッジ範囲のどちらか一方を計算しても良いし、両方とも計算しても良い。また、第一のセルのカバレッジ範囲または第二のセルのカバレッジ範囲に関する情報が、記憶部７０に格納されている場合、格納されている当該情報を用いても良い。さらに、当該情報が記憶部７０に格納されていない場合、当該情報を他の装置から取得しても良い。
【００７９】
また、計算結果を、例えば２次元平面上にカバレッジ範囲をマップしても良い。マップは、２次元平面上に限らず、１次元軸上、３次元空間上でも良い。
【００８０】
ステップＳ１、ステップＳ２およびステップ３は、第１及び第２の実施形態と同様である。
【００８１】
ステップＳ１６では、表示部１２０は、抽出部３０が抽出した抽出結果である、第一のセルを識別するための識別情報の候補を表示する。
【００８２】
ステップ１７では、情報処理装置３００は、表示部１２０の表示に基づき、第一のセルを識別するための識別情報を選択する。選択する主体は情報処理装置３００に限定させず、情報処理装置３００を操作するオペレータ、情報処理装置３００と有線通信又は無線通信を行う基地局、制御装置、ＥＭＳ装置等であっても良い。また、ステップＳ１６を省略して、ステップＳ３にて抽出された第一のセルを識別するための識別情報の候補を表示せずに、ステップＳ１７に移行しても良い。この場合、ステップＳ１７では、ステップＳ３にて抽出された情報に基づき、第一のセルを識別するための識別情報を選択しても良い。
【００８３】
ステップ１８では、ＰＣＩ設定部９０は、第一のセルを識別するための識別情報を、第一のセルに設定する。
【００８４】
以上のように、本実施形態における情報処理装置３００において、判定部１０の判定結果および判断部２０の判断結果に基づき、判断部２０及び抽出部３０を必要な場合に動作させることができる。つまり、本実施形態における情報処理装置３００によれば、判断部２０及び抽出部３０を動作させるか否かを細かく制御することができるため、情報処理装置３００の節電や負荷低減が可能となる。
【００８５】
また、本実施形態の一部を、例えばＥＭＳ装置３１０と基地局３２０からなるシステムに適用した場合、図１２のような構成が考えられる。
【００８６】
ＥＭＳ装置３１０は、基地局３２０と無線通信又は有線通信を行うことができる。ＥＭＳ装置３１０は、基地局３２０に割り当てるＰＣＩを決定することができる。
【００８７】
基地局３２０は、ＥＭＳ装置３１０と無線通信又は有線通信を行うことができる。基地局３２０は、ＥＭＳ装置３１０により割り当てられたＰＣＩを、自身のＰＣＩとして受け付けることができる。
【００８８】
ＰＣＩ受付部１３０は、ＥＭＳ装置３１０により割り当てられたＰＣＩを、自身のＰＣＩとして受け付ける。
【００８９】
送受信部４３は、ＥＭＳ装置３１０と無線通信又は有線通信により、種々の情報を送受信する。
【００９０】
＜第４の実施形態＞
本実施形態では、上述した第１、第２又は第３の実施形態の変形例について説明する。
【００９１】
図１３は、第４の実施形態における通信システム６００の構成の一例を示す。
【００９２】
図１３に示す通信システム６００は、ネットワークを構成している各機器（エレメント）を管理するためのＥＭＳ装置４００と、ＥＭＳ装置４００に管理されるＥＭＳクライアント装置５００から構成される。
【００９３】
ＥＭＳ装置４００は、ＰＣＩ制御部９５、隣接セル追加指示部１４０、基地局情報管理部１５０、局建制御部１６０、送受信部４０および制御部１７０を、少なくとも有する。
【００９４】
ＰＣＩ制御部９５は、上述した第３の実施形態の記憶部７０、計算部５０、判断部２０および抽出部３０を少なくとも有する。
【００９５】
基地局情報管理部１５０は、第３の実施形態の判定部１０および情報取得部６０を少なくとも有する。
【００９６】
送受信部４０は、外部装置と有線または無線で接続し、外部装置との間で、種々の情報を送信又は受信する。
【００９７】
制御部１７０は、ＥＭＳ装置４００に含まれる構成部それぞれを制御する。
【００９８】
また、ＥＭＳクライアント装置５００は、ＧＵＩ（Ｇraphical User Interface）部１２５、ＧＵＩ処理部１８０および送受信部４５を有する。
【００９９】
ＧＵＩ部１２５は、ＧＵＩ処理部１８０から情報の出力を指示された場合に当該情報を出力し、また、外部から入力された情報をＧＵＩ処理部１８０に通知する。また、ＧＵＩ部１２５は、第３の実施形態の入力部８０と表示部１２０の一部を少なくとも有する。
【０１００】
ＧＵＩ処理部１８０は、情報の出力をＧＵＩ部１２５に指示し、また、外部からＧＵＩ部１２５へ入力された情報を送受信部４５へ出力する。またＧＵＩ処理部１８０は、第３の実施形態の入力部８０の一部を少なくとも有しても良い。
【０１０１】
次に、本実施形態の通信システム６００の動作について説明する。
【０１０２】
ここでは、基地局を新たに設置する場合（局建するとき）を例に説明する。
【０１０３】
次に、本実施形態の通信システム６００の動作について説明する。
【０１０４】
ここでは、オペレータが基地局を局建するときを例に説明する。
【０１０５】
基地局の局建時に、局建する基地局の緯度経度情報、隣接セル情報、セルサイズ等を含む基地局のシステムパラメーターがＧＵＩ部１２５へ入力される。
【０１０６】
ＧＵＩ処理部１８０は、ＧＵＩ部１２５に局建する基地局のＰＣＩが入力されたことを検出すると、すでに入力済みの緯度経度情報とＰＣＩ、Ｃｅｌｌ  Ｒａｄｉｕｓパラメータを、送受信部４５及び４０を通じてＰＣＩ制御部９５に渡す。
【０１０７】
ここで、Ｃｅｌｌ  Ｒａｄｉｕｓパラメータとは、セルのカバレッジ範囲の半径を示すものの一例である。
【０１０８】
ＰＣＩ制御部９５は、緯度経度情報とＣｅｌｌ  Ｒａｄｉｕｓパラメータを使用して、局建する基地局のセルのカバレッジ範囲を緯度経度情報に基づいて計算する。その後、ＰＣＩ制御部９５は、基地局情報管理部１５０に対して、計算した局建する基地局のセルのカバレッジ範囲と、少なくとも一部が重なるセルが存在するかどうか問い合わせる。
【０１０９】
ここで、セルのカバレッジ範囲とは、ＬＴＥシステムにおいてはＬＴＥセルの範囲に相当する。
【０１１０】
基地局情報管理部１５０は、局建する基地局のセルのカバレッジ範囲と重なるセル範囲を持つ既存基地局のＰＣＩをＰＣＩ制御部９５に渡す。
【０１１１】
ＰＣＩ制御部９５は、基地局情報管理部１４０から受け取ったカバレッジ範囲の重なる既存基地局のＰＣＩが、入力された局建する基地局のＰＣＩと同一であるか否かをチェックする。
【０１１２】
上記チェックの結果としてＰＣＩが同一の場合は、ＧＵＩ処理部１８０へ重なっている既存基地局のＰＣＩ一覧を渡す。
【０１１３】
ＧＵＩ処理部１８０は、入力されたＰＣＩは既存基地局のＰＣＩと同一である旨をＧＵＩ部１２５へ表示する。併せて、受け取った既存基地局のＰＣＩ一覧は使用するべきでは無い旨のメッセージをＧＵＩ部１２５へ表示する。
【０１１４】
ＧＵＩ処理部１８０は、例えば、局建対象基地局の隣接セル設定画面を表示する操作を外部装置から受けると、ＰＣＩ制御部９５へ推奨隣接セルＰＣＩ取得要求を行う。この要求には、当該セルの周波数帯を含める。
【０１１５】
推奨隣接セルＰＣＩ取得要求を受けたＰＣＩ制御部９５は、すでに計算済みの局建する基地局のセルのカバレッジ範囲の緯度経度に関する情報を基地局情報管理部１５０へ渡し、この値が重なる既存基地局のＰＣＩとそのＰＣＩが割り当てられたセルの周波数（Ｆｒｅｑｕｅｎｃｙ）を取得する。ＰＣＩ制御部９５は、基地局情報管理部１５０から取得した情報を元にＩｎｔｅｒ  Ｆｒｅｑｕｅｎｃｙ、Ｉｎｔｒａ  Ｆｒｅｑｕｅｎｃｙ毎にＰＣＩをリスト化してＧＵＩ処理部１８０へ渡す。
【０１１６】
ＧＵＩ処理部１８０はＧＵＩ部１２５において、ＰＣＩ制御部９５から受け取ったＰＣＩリストを「推奨される隣接セル情報」として表示する。
【０１１７】
次に、図１４を用いて、本実施形態の通信システム６００の動作をより詳細に説明する。
【０１１８】
図１４は、局建する基地局のＰＣＩを設定する際のＥＭＳ装置４００の動作を示すフローチャートである。
【０１１９】
ステップＡ１では、ＧＵＩ処理部１３０は、ＧＵＩ部１２５へ種々の情報が入力されたことを検出する。種々の情報とは、例えば、入力した緯度、経度（方角含む）、Ｃｅｌｌ  Ｒａｄｉｕｓ（ＬＴＥセルの半径）を受け付ける。また、Ｃｅｌｌ  Ｒａｄｉｕｓ（ＣＲ）はオペレータ入力値に限らず、予め定められた値（例えば、デフォルト値）でも有効とする。
【０１２０】
ステップＡ２では、ＧＵＩ処理部１３０が入力を検出した情報を受け取ったＰＣＩ制御部９５が、局建する基地局のセルのカバレッジ範囲を計算する。
【０１２１】
局建する基地局のセルのカバレッジ範囲の計算方法の一例を、以下に示す。
【０１２２】
ここでは、セル形状を円形とすると計算が複雑になるため、図１５のように正方形の範囲として求める。また、地球は球状であり本来は緯度によって経度１°あたりの距離は変わるが、距離が小さいため地表が平面であると仮定して無視している。
【０１２３】
経度差分：
Ｘ = sin４５°*  (３６０°* Cell Radius / ６３７８．１３７)
緯度差分：
Ｙ = cos４５°*  (３６０ * Cell Radius / ６３７８．１３７)
６３７８．１３７ = 地球の半径[km]
よって局建する基地局のセルのカバレッジ範囲は以下のようになる。
基地局の緯度 - Ｙ  ≦ セル範囲（緯度） ≦  基地局の緯度 + Ｙ
基地局の経度 - Ｘ  ≦ セル範囲（緯度） ≦  基地局の経度 + Ｘ
ただし、値がマイナスになる場合は方角を反転する。
【０１２４】
上記局建する基地局のセルのカバレッジ範囲に関する情報は、局建完了まで一時的にＥＭＳ装置４００内で保持し、局建完了時に基地局情報管理部１５０へ保存する。局建が中断された場合は破棄する。
【０１２５】
ステップＡ３では、ＰＣＩ制御部９５は、基地局情報管理部１５０にあらかじめ保存している既存基地局のセルのカバレッジ範囲と先に計算した局建する基地局のセルのカバレッジ範囲を比較し、一部でも重なる範囲があるセルがあるかどうかを確認する。
【０１２６】
ここで、カバレッジ範囲が重なる既存基地局が存在しない場合（ステップＡ３：ＮＯ）、受け付けたＰＣＩをそのままシステムパラメーターとして使用する。
【０１２７】
ただし、最も緯度経度位置が近いセルのＰＣＩを取得してＡ５へ移行しても良い。
【０１２８】
次に、カバレッジ範囲が重なる既存基地局が存在する場合（ステップＡ３：ＹＥＳ）、ステップＡ４に進み、Ａ３で判定した既存基地局のＰＣＩ一覧を取得する。
【０１２９】
ステップＡ５では、入力したＰＣＩはＣｏｎｆｕｓｉｏｎする可能性がある旨をＧＵＩ部１２５に表示する。例えば、「入力されたＰＣＩ：ｘｘｘは周辺セルと重複しているため、ＰＣＩ  Ｃｏｎｆｕｓｉｏｎが検出される可能性があります」といったメッセージをＧＵＩ部１２５へ表示する。
【０１３０】
ただし、あくまで情報として通知するのみで、受け付けた値をシステムパラメーターとして使用することを可能とするために、「無視して続行」のようなオペレーションを許可しても良い。
【０１３１】
「Ｃｏｎｆｕｓｉｏｎする」とは、互いに隣接セルとなる２つのセルのＰＣＩが同一のものであることを意味する。ＰＣＩが同一のものであると、セル間に深刻な干渉が生じてしまいかねない等の問題が発生する。
【０１３２】
ステップＡ６では、Ｃｏｎｆｕｓｉｏｎする可能性のあるＰＣＩをＧＵＩ部１２５に表示する。例えば、Ａ４で取得したＰＣＩ一覧を、「周辺に存在するＰＣＩ」としてＧＵＩへ表示する。
【０１３３】
ステップＡ７では、重複ＰＣＩを受け付けるかを判断する。
【０１３４】
重複ＰＣＩを受け付ける場合は、入力されたＰＣＩを局建する基地局に設定する。
【０１３５】
重複ＰＣＩを受け付けない場合や、再度オペレータによるＰＣＩ入力を受け付けた場合には、受け付けたＰＣＩがＡ６で提示した値と重ならない場合は、そのままシステムパラメーターとして使用する。重複するＰＣＩを入力された場合は、Ａ５へ戻る。
【０１３６】
次に、図１６は局建する基地局の隣接セルを設定する際のＥＭＳ装置４００の動作を示すフローチャートである。
【０１３７】
図１４のステップＡ８の動作に続いて、図１６のステップＢ１では、局建する基地局の隣接セルを登録する画面をオペレータに要求され、それを受け付ける。さらに、図１４のステップＡ２で計算したセル範囲情報をメモリ等から読み出し、すでに設定されている周波数帯を取得する。ここで、デフォルト値を設定済みのシステムパラメーターを編集するケースが多いと想定されるため、上記が未設定の場合はデフォルト値を取得しても良い。
【０１３８】
ステップＢ２では、ステップＢ１で取得したカバレッジ範囲が、既存基地局のカバレッジ範囲と重なるものがあるかどうか比較するためにセルに関する情報を基地局情報管理部１５０から取得する。さらに、カバレッジ範囲が重なっている既存基地局があるかどうか確認する。
【０１３９】
ステップＢ２にて、カバレッジ範囲が重なる既存基地局が存在しないと判定された場合（ステップＢ２：ＮＯ）、隣接セル設定画面をＧＵＩ部１２５に表示する。ただし、最も地理上で近い既存基地局のＰＣＩを取得してステップＢ３以降の動作をさせても良い。
【０１４０】
次に、ステップＢ２にて、カバレッジ範囲が重なる既存基地局が存在すると判定された場合（ステップＢ２：ＹＥＳ）、ステップＢ３の処理を実施する。ステップＢ３では、カバレッジ範囲が重なる既存基地局の情報を取得する。具体的には、基地局情報管理画面から、カバレッジ範囲が重なる既存基地局の周波数帯、ＰＣＩを取得する。
【０１４１】
ここで、取得したＰＣＩはＰＣＩリストとして保持しても良い。ＰＣＩリストは、既存基地局のＰＣＩを、周波数帯ごとにリストにしても良い。
【０１４２】
例えば、局建する基地局と異なる周波数帯のＰＣＩ（Ｉｎｔｅｒ  Ｆｒｅｑｕｅｎｃｙ）と、局建する基地局と同じ周波数帯のＰＣＩ（Ｉｎｔｒａ  Ｆｒｅｑｕｅｎｃｙ）に分けてリスト化しても良い。
【０１４３】
ステップＢ４では、推奨ＰＣＩを表示した状態で隣接セル設定画面をＧＵＩ部１２５に表示する。具体的には、作成したリストを元に、推奨隣接セルとして表示した状態で隣接セル設定画面を表示する。
【０１４４】
ステップＢ６では、隣接セルを設定する。
【０１４５】
なお、図１６で説明した隣接セル設定の動作と図１４で説明したＰＣＩ設定の動作を行うタイミングは、どちらかを先に動作させても良く、そのタイミングに制限はない。
【０１４６】
また、図１６の動作は、局建する基地局以外にも、既存基地局にも適用可能である。例えば、局建する基地局に設定するＰＣＩの情報を、隣接する既存基地局の隣接セルリストの更新に適用しても良い。
【０１４７】
さらに、例えば図１４のステップＡ６では、Ｃｏｎｆｕｓｉｏｎする可能性のあるＰＣＩをＧＵＩ部１２５に表示したが、Ｃｏｎｆｕｓｉｏｎする可能性のないＰＣＩをＧＵＩ部１２５に表示しても良い。
【０１４８】
なお、本実施形態の一部を、例えば管理装置７００と基地局８００からなるシステムに適用した場合、以下のような構成が考えられる。
【０１４９】
管理装置７００は、基地局８００と無線通信又は有線通信を行うことができる。
【０１５０】
管理装置７００は、判定部１０、判断部２０および送受信部４０を有する。
【０１５１】
基地局８００は、送受信部４５を有し、管理装置７００と無線通信又は有線通信を行うことができる。
【０１５２】
送受信部４５は、管理装置７００と無線通信又は有線通信により、種々の情報を送受信する。
【０１５３】
以上のようにして、本実施形態における情報処理装置１００は、第一のセルのカバレッジ範囲と第二のセルのカバレッジ範囲の少なくとも一部が重複しているか否かを判定し、第一のセルを識別するための第一のセル識別情報と、第二のセルを識別するため予め割り当てられた第二のセル識別情報とが同一か否かを、前記判定部の判定結果に基づき判断する。そのため、本実施形態における情報処理装置１００によれば、情報処理装置１００のかかる負荷を低減できる、という効果がある
また、以上の実施形態の効果の１つとして、基地局に事前にＰＣＩを設定することで既存のＳＯＮ機能ノードによるＰＣＩ割り当てに関する制御信号のバースト（短時間にたくさんメッセージが飛ぶこと）を回避することができる。これによりＳＯＮ機能を搭載したノードはもちろん、基地局やノードマネージメント装置（例えばＥＭＳ装置）などネットワーク自体の負荷も削減することができる。
【０１５４】
上述した実施形態の各処理は、ソフトウェアによって実行されてもよい。すなわち、各処理を行うためのコンピュータ・プログラムが、通信装置が備えるＣＰＵ（Ｃｅｎｔｒａｌ  Ｐｒｏｃｅｓｓｉｎｇ  Ｕｎｉｔ）によって読み込まれ、実行されてもよい。プログラムを用いて各処理を行っても、上述の実施形態の処理と同内容の処理を行うことができる。そして、上記のプログラムは、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュメモリ等の半導体記憶装置、光ディスク、磁気ディスク、光磁気ディスク等、非一時的な媒体に格納されてもよい。
【０１５５】
また、本明細書および特許請求の範囲において使用されるセルとの用語は、その時々において、基地局や基地局のカバレッジ範囲又はセクタ若しくはこれらの組み合わせを意味する。
【０１５６】
また、本明細書および特許請求の範囲において使用される周波数との用語は、その時々において、周波数および周波数帯またはそれらの組み合わせを意味する。
【０１５７】
さらに、本明細書および特許請求の範囲において使用される情報処理装置との用語は、その時々において、基地局、制御装置、ＳＯＮ機能ノード又はＥＭＳ装置若しくはこれらの組み合わせを意味する。また、制御装置は基地局内部にあり基地局自身を制御する装置でも良いし、又は基地局外部にあり配下の基地局を制御する装置でも良い。
【０１５８】
なお、上述した実施形態の抽出部３０は、第一のセルを識別するための識別情報の候補としてＣｏｎｆｕｓｉｏｎする可能性のあるＰＣＩを抽出しても良いし、Ｃｏｎｆｕｓｉｏｎする可能性のないＰＣＩを抽出しても良い。
【０１５９】
上記の実施形態の一部又は全部は、以下の付記のようにも記載されうるが、以下には限られない。
【０１６０】
（付記１）第一のセルのカバレッジ範囲と第二のセルのカバレッジ範囲の少なくとも一部が重複しているか否かを判定する判定部と、前記第一のセルを識別するための第一のセル識別情報と、前記第二のセルを識別するため予め割り当てられた第二のセル識別情報とが同一か否かを、前記判定部の判定結果に基づき判断する判断部と、を有する、情報処理装置。
【０１６１】
（付記２）前記判断部の判断結果に基づき、前記第一のセルを識別するための識別情報の候補を抽出する抽出部を有する、付記１に記載の情報処理装置。
【０１６２】
（付記３）前記判断部の判断結果が第一の条件を示す場合、前記抽出部は前記抽出を行わない、付記２に記載の情報処理装置。
【０１６３】
（付記４）前記第一の条件とは、前記第一のセル識別情報と前記第二のセル識別情報とが異なるということである、付記３に記載の情報処理装置。
【０１６４】
（付記５）前記第一のセル識別情報および前記第二のセル識別情報とは、周波数情報と、ＰＣＩ情報の、少なくともいずれか１つを含み、前記周波数情報とは、周波数に関する情報を示し、前記ＰＣＩ情報とは、セルに割り当てられるＰＣＩに関する情報を示す、付記３または４の何れか１項に記載の情報処理装置。
【０１６５】
（付記６）前記判定部の判定結果が第二の条件を示す場合、前記判断部は前記判断を行わない、付記５に記載の情報処理装置。
【０１６６】
（付記７）前記第二の条件とは、前記第一のセルのカバレッジ範囲と前記第二のセルのカバレッジ範囲の少なくとも一部が重複していないということである、付記６に記載の情報処理装置。
【０１６７】
（付記８）前記第二のセル識別情報を取得する情報取得部を有する付記７に記載の情報処理装置。
【０１６８】
（付記９）前記第一のセル識別情報における第一の周波数情報と、前記第二のセル識別情報における第二の周波数情報が異なる場合、前記判断部は第一の通知を出力する付記８に記載の情報処理装置。
【０１６９】
（付記１０）前記第一の周波数情報と前記第二の周波数情報が異なる場合、前記判断部は前記ＰＣＩ情報が同一か否かを判断する付記９に記載の情報処理装置。
【０１７０】
（付記１１）前記第一のセル識別情報における第一の周波数情報と、前記第二のセル識別情報における第二の周波数情報が同一か否か不明な場合、前記判断部は第二の通知を出力する付記８に記載の情報処理装置。
【０１７１】
（付記１２）前記第一の周波数情報と前記第二の周波数情報が同一か否か不明な場合、前記判断部は前記ＰＣＩ情報が同一か否かを判断する付記１１に記載の情報処理装置。
【０１７２】
（付記１３）前記第一のセル識別情報における第一の周波数情報と、前記第二のセル識別情報における第二の周波数情報が同一の場合、前記判断部は第三の通知を出力する付記８に記載の情報処理装置。
【０１７３】
（付記１４）前記第一の周波数情報と前記第二の周波数情報が同一の場合、前記判断部は前記ＰＣＩ情報が同一か否かを判断する付記１３に記載の情報処理装置。
【０１７４】
（付記１５）前記第一のセル識別情報における第一のＰＣＩ情報と、前記第二のセル識別情報における第二のＰＣＩ情報が異なる場合、前記判断部は第四の通知を出力する付記８に記載の情報処理装置。
【０１７５】
（付記１６）前記第一のセル識別情報における第一のＰＣＩ情報と、前記第二のセル識別情報における第二のＰＣＩ情報が同一か否か不明である場合、前記判断部は第五の通知を出力する付記８に記載の情報処理装置。
【０１７６】
（付記１７）前記第一のＰＣＩ情報と前記第二のＰＣＩ情報が同一か否か不明の場合、前記判断部は前記周波数情報が同一か否かを判断する付記１６に記載の情報処理装置。
【０１７７】
（付記１８）前記第一のセル識別情報における第一のＰＣＩ情報と、前記第二のセル識別情報における第二のＰＣＩ情報が同一の場合、前記判断部は第六の通知を出力する付記８に記載の情報処理装置。
【０１７８】
（付記１９）前記第一のＰＣＩ情報と前記第二のＰＣＩ情報が同一の場合、前記判断部は前記周波数情報が同一か否かを判断する付記１８に記載の情報処理装置。
【０１７９】
（付記２０）前記抽出部は、前記第一の通知、前記第二の通知、前記第三の通知、前記第五の通知、前記第六の通知の少なくとも何れか１つを受信した場合、前記抽出を行う付記９乃至１９の何れか１項に記載の情報処理装置。
【０１８０】
（付記２１）前記抽出部は、前記識別情報として、前記第二のセル識別情報以外を抽出する付記２０に記載の情報処理装置。
【０１８１】
（付記２２）前記判定部は、前記第一のセルのカバレッジ範囲と前記第二のセルのカバレッジ範囲を、少なくとも１つのパラメータを用いてマッピングする付記２１に記載の情報処理装置。
【０１８２】
（付記２３）前記パラメータは、緯度に関する情報、経度に関する情報、高度に関する情報、アンテナ高に関する情報、電波の放射方向に関する情報、カバレッジ範囲を表すパラメータの、少なくともいずれか１つである付記２２に記載の情報処理装置。
【０１８３】
（付記２４）前記抽出部は、抽出した情報を出力情報として出力する付記２１に記載の情報処理装置。
【０１８４】
（付記２５）出力情報を表示する表示部を有する付記２４に記載の情報処理装置。
【０１８５】
（付記２６）入力部を有する付記２５に記載の情報処理装置。
【０１８６】
（付記２７）セル空間を計算する計算部を有する付記２６に記載の情報処理装置。
【０１８７】
（付記２８）前記第一のセルは、通信端末と通信していない付記２７に記載の情報処理装置。
（付記２９）
第一のセルのカバレッジ範囲と第二のセルのカバレッジ範囲の少なくとも一部が重複しているか否かを判定する工程と、
前記第一のセルを識別するための第一のセル識別情報と、前記第二のセルを識別するため予め割り当てられた第二のセル識別情報とが同一か否かを、前記判定部の判定結果に基づき判断する工程と、
をコンピュータに実行させるプログラム。
また、この出願は、２０１４年３月３１日に出願された日本出願特願２０１４−０７０７２０を基礎とする優先権を主張し、その開示の全てをここに取り込む。
【符号の説明】
【０１８８】
１００、２００、３００    情報処理装置
１０    判定部
２０    判断部
３０    抽出部
４０、４３、４５    送受信部
５０    計算部
６０    情報取得部
７０    記憶部
８０    入力部
９０    ＰＣＩ設定部
９５    ＰＣＩ制御部
１１０    制御部
１２０、１２５    表示部
１３０    ＰＣＩ受付部
１５０    基地局情報管理部
１８０    ＧＵＩ処理部
３１０、４００    ＥＭＳ装置
３２０    基地局
５００    ＥＭＳクライアント装置
６００    通信システム
【図１】
2015151446.tif 000003
【図２Ａ】
2015151446.tif 000004
【図２Ｂ】
2015151446.tif 000005
【図３】
2015151446.tif 000006
【図４】
2015151446.tif 000007
【図５】
2015151446.tif 000008
【図６】
2015151446.tif 000009
【図７】
2015151446.tif 000010
【図８】
2015151446.tif 000011
【図９】
2015151446.tif 000012
【図１０】
2015151446.tif 000013
【図１１】
2015151446.tif 000014
【図１２】
2015151446.tif 000015
【図１３】
2015151446.tif 000016
【図１４】
2015151446.tif 000017
【図１５】
2015151446.tif 000018
【図１６】
2015151446.tif 000019
【手続補正書】
【提出日】平成28年9月21日(2016.9.21)
【手続補正１】
【補正対象書類名】特許請求の範囲
【補正対象項目名】請求項５
【補正方法】変更
【補正の内容】
【請求項５】
前記第一のセル識別情報および前記第二のセル識別情報とは、
周波数情報と、ＰＣＩ情報の、少なくともいずれか１つを含み、
前記周波数情報とは、周波数に関する情報を示し、
前記ＰＣＩ情報とは、セルに割り当てられるPhysical Cell Identity（ＰＣＩ）に関する情報を示す、
請求項３または４の何れか１項に記載の情報処理装置。
【手続補正２】
【補正対象書類名】特許請求の範囲
【補正対象項目名】請求項７
【補正方法】変更
【補正の内容】
【請求項７】
前記判定結果が第二の条件を示す場合とは、
前記第一のセルのカバレッジ範囲と前記第二のセルのカバレッジ範囲が重複していない場合である、
請求項６に記載の情報処理装置。
【手続補正３】
【補正対象書類名】特許請求の範囲
【補正対象項目名】請求項９
【補正方法】変更
【補正の内容】
【請求項９】
第一のセルのカバレッジ範囲と第二のセルのカバレッジ範囲の少なくとも一部が重複しているか否かを判定する工程と、
前記第一のセルを識別するための第一のセル識別情報と、前記第二のセルを識別するため予め割り当てられた第二のセル識別情報とが同一か否かを、前記判定における判定結果に基づき判断する工程と、
を有する、
情報処理装置のための方法。
【手続補正４】
【補正対象書類名】特許請求の範囲
【補正対象項目名】請求項１０
【補正方法】変更
【補正の内容】
【請求項１０】
第一のセルのカバレッジ範囲と第二のセルのカバレッジ範囲の少なくとも一部が重複しているか否かを判定する工程と、
前記第一のセルを識別するための第一のセル識別情報と、前記第二のセルを識別するため予め割り当てられた第二のセル識別情報とが同一か否かを、前記判定における判定結果に基づき判断する工程と、
をコンピュータに実行させるためのプログラム。
【国際調査報告】
2015151446.tif 000020
2015151446.tif 000021
2015151446.tif 000022